(57)【要約】【課題】各種機器を備えた便座装置において、電気電子機器の動作を検査するための検査モードが使用者によって容易に実行されるのを阻止することができる便座装置を提供すること。【解決手段】電源によって駆動される機器を備えた便座装置において、機器が使用者によって使用可能な状態にある通常モードと、機器の検査を行う検査モードと、を有し、検査モードを実行不能とするロック手段が備えられる便座装置とする。ロック手段は、検査モードを実行不能とするとともに、機器を制御するための制御パラメータの設定を初期化するものであるとよい。また、ロック手段は、電源の投入後または検査モードの開始後に所定時間が経過すると、作動されるものであるとよい。【選択図】図３
2015221977.tif 000002
【特許請求の範囲】
【請求項１】
電源によって駆動される機器を備えた便座装置において、
前記機器が使用者によって使用可能な状態にある通常モードと、前記機器の検査を行う検査モードと、を有し、
前記検査モードを実行不能とするロック手段が備えられることを特徴とする便座装置。
【請求項２】
前記ロック手段は、前記検査モードを実行不能とするとともに、前記機器を制御するための制御パラメータの設定を初期化することを特徴とする請求項１に記載の便座装置。
【請求項３】
前記ロック手段は、前記電源の投入後または前記検査モードの開始後に所定時間が経過すると、作動されることを特徴とする請求項１または２に記載の便座装置。
【請求項４】
前記所定時間は、前記検査モードにおける前記機器の検査に要する時間よりも長いことを特徴とする請求項３に記載の便座装置。
【請求項５】
前記ロック手段は、前記機器を操作するためのスイッチを複数組み合わせて操作する複合スイッチ操作によって作動されることを特徴とする請求項１から４のいずれか１項に記載の便座装置。
【請求項６】
前記ロック手段が解除されている状態で前記複合スイッチ操作を行うと、前記ロック手段が作動され、前記ロック手段が作動されている状態で前記複合スイッチ操作を行うと、前記ロック手段が解除されることを特徴とする請求項５に記載の便座装置。
【請求項７】
前記便座装置は、電圧入力が可能な信号入力部をさらに備え、
前記信号入力部への入力電圧が変化されることで、前記ロック手段が作動されることを特徴とする請求項１から６のいずれか１項に記載の便座装置。
【発明の詳細な説明】
【技術分野】
【０００１】
本発明は、便座装置に関し、さらに詳しくは、構成機器を検査するための検査モードを備えた便座装置に関する。
【背景技術】
【０００２】
温水を吐出する局部洗浄装置や温風乾燥装置、人体検出装置等、種々の機器を備えた便座装置において、出荷前の検査時や出荷後のメンテナンス時に、構成機器の異常の有無を検査することができる検査モードが備えられることが多い。例えば、特許文献１に開示された衛生洗浄装置においては、負荷の動作を制御する制御装置の電源投入時に負荷の動作を制御する動作スイッチからの強制スイッチ入力がない場合には、人体検出に基づいて通常動作モードが実行され、電源投入時に動作スイッチからの強制スイッチ入力があった場合には、人体検出の有無に関係なく、負荷の動作を自動的に制御する強制スイッチ受付モード（検査モード）が実行される。強制スイッチ入力としては、予め設定された複数個の動作スイッチ（例えばおしり洗浄スイッチと止スイッチ）を同時に押す操作が挙げられている。
【先行技術文献】
【特許文献】
【０００３】
【特許文献１】特開平６−１３６８０６号公報
【発明の概要】
【発明が解決しようとする課題】
【０００４】
上記特許文献１に開示されるように、使用モード（通常モード）から検査モードへの移行を、複数の特定の操作スイッチを同時に押す等、通常の使用者が行うことの少ない操作によって実行するようにすれば、多くの場合には、使用者が意図せずに検査モードへの移行を行ってしまうことは起こりにくい。しかし、使用者が偶然に、その特定の操作スイッチを同時に押してしまった場合等、使用者の意図に反して、検査モードに移行し、便座装置の構成機器が自動的に動作されてしまう可能性がある。すると、自動的に局部洗浄用水が吐出されたり、温風乾燥装置から温風が発生したりする。このように、使用者の意図によらずに検査モードが実行されると、便座装置が故障したのではないか、もとの状態に戻せないのではないか、等の誤解や混乱を使用者に与える可能性がある。あるいは、例えば自動的に吐出された局部洗浄用水が使用者の体や衣服にかかったり、トイレ室の床を濡らしたりといった不測の影響を与えてしまう可能性がある。
【０００５】
本発明が解決しようとする課題は、各種機器を備えた便座装置において、機器の動作を検査するための検査モードが使用者によって容易に実行されるのを阻止することができる便座装置を提供することにある。
【課題を解決するための手段】
【０００６】
上記課題を解決するために、本発明にかかる便座装置は、電源によって駆動される機器を備えた便座装置において、前記機器が使用者によって使用可能な状態にある通常モードと、前記機器の検査を行う検査モードと、を有し、前記検査モードを実行不能とするロック手段が備えられることを要旨とする。
【０００７】
ここで、前記ロック手段は、前記検査モードを実行不能とするとともに、前記機器を制御するための制御パラメータの設定を初期化するものであるとよい。
【０００８】
また、前記ロック手段は、前記電源の投入後または前記検査モードの開始後に所定時間が経過すると、作動されるものとすることができる。この場合に、前記所定時間は、前記検査モードにおける前記機器の検査に要する時間よりも長いことが好ましい。
【０００９】
また、前記ロック手段は、前記機器を操作するためのスイッチを複数組み合わせて操作する複合スイッチ操作によって作動されるものとすることができる。この場合に、前記ロック手段が解除されている状態で前記複合スイッチ操作を行うと、前記ロック手段が作動され、前記ロック手段が作動されている状態で前記複合スイッチ操作を行うと、前記ロック手段が解除されることが好ましい。
【００１０】
また、前記便座装置は、電圧入力が可能な信号入力部をさらに備え、前記信号入力部への入力電圧が変化されることで、前記ロック手段が作動されるとよい。
【発明の効果】
【００１１】
上記本発明にかかる便座装置は、検査モードが実行できなくなるロック手段を備えている。よって、ロック手段を作動させておけば、使用者が検査モードの実行に対応するスイッチ操作等を行ったとしても、検査モードが開始されることはない。これにより、使用者の意図によらずに検査モードにおける機器の検査が実行され、局部洗浄装置からの温水の突然の吐出等、意図しない機器の動作による影響を防止することができる。
【００１２】
ここで、ロック手段が、検査モードを実行不能とするとともに、機器を制御するための制御パラメータの設定を初期化するものである場合には、製造者が、便座装置の出荷前に、ロック手段を作動させるだけで、検査モードのロックと、各制御パラメータの初期化の両方を行うことができる。また、使用者がパラメータの初期化を意図してロック手段を作動させた際に、検査モードが実行不能となる。これにより、ロック手段による検査モードのロックが解除されている場合があったとしても、使用者の意思によってパラメータの初期化を行った際に、自動的に検査モードがロックされ、意図しない検査モードの実行を防止できるようになる。
【００１３】
また、ロック手段が、電源の投入後または検査モードの開始後に所定時間が経過すると、作動される場合には、使用者が特定の操作を行わなくても、時間の経過のみをパラメータとしてロック手段が作動されるので、使用者がロック手段の作動法について知識を有さなくても、ロック手段が作動し、検査モードの意図しない実行を防止することができる。
【００１４】
この場合に、上記の所定時間が、検査モードにおける機器の検査に要する時間よりも長ければ、検査モードの実行中にはロック手段が作動されることがないので、ロック手段の作動が検査モードにおける機器の検査を妨げない。
【００１５】
また、ロック手段が、機器を操作するためのスイッチを複数組み合わせて操作する複合スイッチ操作によって作動される場合には、複合スイッチ操作を行うことで、製造者や使用者が、その意思によってロック手段を作動させることができる。
【００１６】
この場合に、ロック手段が解除されている状態で複合スイッチ操作を行うと、ロック手段が作動され、ロック手段が作動されている状態で複合スイッチ操作を行うと、ロック手段が解除される構成によれば、ロック手段の作動と解除の間の切り替えを、簡素な方法で行うことができる。
【００１７】
また、便座装置が、電圧入力が可能な信号入力部をさらに備え、信号入力部への入力電圧が変化されることで、ロック手段が作動される場合には、ハードウェア上の操作によってロック手段が作動されることになり、使用者が偶発的にロック手段を解除することが、極めて起こりにくくなるので、使用者が意図せずにロック手段を解除し、さらに検査モードを実行することが強固に防止される。
【図面の簡単な説明】
【００１８】
【図１】本発明の第一の実施形態にかかる便座装置の全体を示す概略図である。
【図２】上記便座装置におけるモードの判定および設定に関わる部位を示すブロック図である。
【図３】上記の便座装置における電源投入後の動作を示すフロー図である。
【図４】本発明の第四の実施形態にかかる便座装置の制御部近傍を示す概略図である。
【発明を実施するための形態】
【００１９】
以下、本発明の実施形態にかかる便座装置について、図面を参照しながら説明する。
【００２０】
［第一の実施形態］
本発明の第一の実施形態にかかる便座装置１は、図１のように、便器９０の上方に開閉可能に支持される便座２および便蓋３と、便座２の後方に設けられた本体部４と、便座２の側方に設けられた操作部５を有している。本体部４には、電源によって駆動される各種電気電子機器が搭載されている。この種の機器の例としては、温水を吐出して人体局部を洗浄する局部洗浄装置、濡れた人体局部を温風によって乾燥する温風乾燥装置、便座２を加熱する便座暖房装置、便座２および便蓋３を自動開閉する開閉装置や、人体の接近や着座を検出し、その情報が各装置の制御に利用される人体検出装置、そして各装置を制御するマイクロコンピュータ（マイコン）等よりなる制御部１０を挙げることができる。操作部５は、使用者が操作可能な複数の操作スイッチと、各装置の制御パラメータの設定状態を表示するＬＥＤや液晶装置等よりなる表示部とを有し、本体部４の制御部１０と有線または無線によって通信することで、操作スイッチによる使用者の指示を制御部１０に伝達するとともに、制御パラメータの設定状態等の情報を制御部１０から伝達される。
【００２１】
上記便座装置１は、通常モードと検査モードの２つのモードを有している。通常モードとは、使用者が通常どおりに各構成機器の機能を使用できる状態、つまり操作部５の操作によって、各機器の制御パラメータを設定、変更等しながら、各機器を使用することができる状態を指す。一方、検査モードにおいては、各構成機器に異常がないかどうかを判別するために、各機器が順次動作される。検査モードは、製造された便座装置１の出荷前や、出荷後のメンテナンスの際に実行される。検査モードにある間は、操作パネルの操作は無効化され、制御部１０に記憶された検査工程のパターンに従って、順に各検査工程が実行される。検査モードは、人間による操作を要さずに、各機器の動作が全て自動的に実行されるものであっても、操作スイッチの操作等、人間による操作を部分的に必要とするものであってもよい。検査時間を短縮し、さらにそれによって便座装置１の製造コストを削減できるという点において、全動作が自動的に実行される形態の方が好ましい。この場合に、例えば通常モードでは人体検出装置が便座２への人体の着座を検出している状態でないと局部洗浄装置から温水を吐出させることができないのに対し、検査モードにおける局部洗浄装置の検査工程においては、人体検出装置が無効化され、人体検出装置における検出の有無によらず、局部洗浄装置から温水が吐出され、その噴出高さ等を評価することができる。
【００２２】
上記便座装置１は、制御部１０の機能として、検査モードの実行をロックするロック手段を備えている。ロック手段が作動されていない状態においては、特定の検査モード移行操作を実行することで、検査モードへ移行し、検査モードを実行することができる。検査モード移行操作は、例えば、制御部１０への電源投入操作を行いながら、操作部５において複数の操作スイッチを組み合わせて操作する複合スイッチ操作（例えばスイッチＡとスイッチＢを同時に２秒間押し続ける操作）を行う等、通常モードでは普通はなされない操作よりなる。一方、ロック手段が作動されている状態においては、検査モードの実行が不能とされており、その検査モード移行操作を行っても、通常モードから検査モードに移行することができなくなっている。
【００２３】
ここで、ロック手段の作動／解除に基づくモードの選択の方法を説明する。図２に、モードの判定と設定に関わる部位の構成をブロック図として示し、図３に、電源投入後におけるそれらの動作をフロー図として示す。
【００２４】
図２に示すように、制御部１０は、入力判定部１１と、タイマ部１２と、モード判定部１３と、変数管理部１４と、読み出し部１５とを有している。また、制御部１０に加えて、記憶部２０が備えられている。
【００２５】
入力判定部１１は、操作部５において行われたスイッチ操作を読み取り、どのようなスイッチ操作が行われているかをモード判定部１３に伝達する。タイマ部１２は、時間を計測するものである。読み出し部１５は、記憶部２０に格納されているロック手段の作動の有無に関する情報を読み出し、モード判定部１３に伝達する。モード判定部１３は、入力判定部１１、タイマ部１２、読み出し部１５からの入力に基づき、通常モードを実行すべきか検査モードを実行すべきかを判定する。そして、判定結果を変数管理部１４に伝達する。変数管理部１４は、便座装置１の各構成機器の動作を制御するためのパラメータの組を格納するメモリであり、通常モードおよび検査モードのそれぞれにおいて実行すべき動作を示すパラメータの組を、モード判定部１３から伝達されたモードがいずれであるかに応じて、格納する。記憶部２０は、不揮発性メモリよりなり、ロック手段を作動させることを示すロック作動情報、またはロック手段を解除しておくことを示すロック解除情報の一方を記憶しておく。記憶部２０は、既に記憶されているのと異なる情報が入力された場合には、もとの情報を新しい情報に書き換えるとともに、既に記憶されているのと同じ情報が入力された場合には、もとの情報を同じ情報で上書きする。この種の不揮発性メモリとしては、ＥＥＰＲＯＭに代表される外付け型のものが代表的であるが、データフラッシュ等、マイコン内蔵型のものを用いてもよい。
【００２６】
図３のステップＳ０で、便座装置１の主電源の投入等によって制御部１０に電源が投入されると、ステップＳ１において、読み出し部１５が、記憶部２０に記憶されているデータ（ロック作動情報またはロック解除情報）を読み出し、そのデータをモード判定部１３に伝達する。
【００２７】
ステップＳ２において、モード判定部１３は、読み出し部１５から入力された記憶部２０の情報がロック作動情報であるかロック解除情報であるかを判定する。ロック作動情報が記憶部２０に記憶されていると判定すると（ステップＳ２で「作動」）、通常モードを実行すべきと判断し、ステップＳ３において、モード判定部１３から変数管理部１４に、通常モードの情報が伝達され、変数管理部１４に通常モードに対応するパラメータの組がデータとして格納される。これにより、便座装置１の各構成機器は、通常モードのパラメータに従って、通常モードで想定されている動作、つまり、操作部５による操作に基づいた機器の運転を行う。
【００２８】
一方、ステップＳ２において、モード判定部１３が、ロック解除情報が記憶部２０に記憶されていると判定すると（ステップＳ２で「解除」）、ステップＳ４において、入力判定部１１が、スイッチ操作による操作部５からの信号入力を読み取る。
【００２９】
ステップＳ５において、モード判定部１３が、ステップＳ４で読み取られた入力信号が検査モード移行操作に合致しているかを判定する。つまり、モード判定部１３に入力判定部１１から入力される各操作スイッチの操作の有無に関する情報と、タイマ部１２から入力される経過時間の情報をもとに、行われたスイッチ操作が特定の検査モード移行操作（例えば、スイッチＡとスイッチＢを同時に２秒以上押す操作）に合致しているかどうかを判定する。
【００３０】
ステップＳ５で、スイッチ操作が検査モード移行操作に合致していると判定されれば（ステップＳ５でＹｅｓ）ならば、モード判定部１３は、検査モードを実行すべきと判断し、ステップＳ６において、モード判定部１３から変数管理部１４に、検査モードの情報が伝達され、変数管理部１４に検査モードに対応するパラメータの組がデータとして格納される。これにより、便座装置１の各構成機器は、検査モードのパラメータに従って、検査モードにおいて規定された各構成機器の検査を順次実行し始める。
【００３１】
一方、ステップＳ５で、検査モード移行操作に合致しないスイッチ操作がなされた、またはスイッチ操作自体がなされていないと判定されれば（ステップＳ５でＮｏ）ならば、ステップＳ７において、ステップＳ３の場合と同様に、モード判定部１３が通常モードを実行すべきと判断し、モード判定部１３から変数管理部１４に、通常モードの情報が伝達され、変数管理部１４に通常モードに対応するパラメータの組がデータとして格納される。これにより、便座装置１の各構成機器は、通常モードのパラメータに従って、通常モードで想定されている動作を行う。
【００３２】
このようなフローに従って制御されることで、電源投入時に記憶部２０にロック作動情報が記憶されていると（ステップＳ２で「作動」）、変数管理部１４に通常モードに対応するパラメータの組が格納され（ステップＳ３）、自動的に通常モードが実行される。検査モード移行操作の読み取り工程（ステップＳ４，Ｓ５）が実行されることはない。このように、記憶部２０にロック作動情報が記憶されていると、検査モードに移行する余地がなく、検査モードへの移行を阻止するロック手段が作動された状態となる。
【００３３】
検査モードを実行するためには、記憶部２０にロック解除情報が記憶されている状態にあること、そして、電源投入時に、操作部５において検査モード移行操作に対応するスイッチ操作を行うことが必要である。記憶部２０にロック解除情報が記憶されている場合でも、既に電源が入力され、便座装置１が通常モードにある状態で検査モード移行操作を行っても、検査モードが実行されるわけではない。その状態から検査を実施するためには、一旦電源入力を遮断したうえで、検査モード移行操作を伴って、再度電源を投入しなおす必要がある。
【００３４】
次に、記憶部２０への情報の書き込みについて説明する。本実施形態においては、構成機器の制御パラメータの初期化操作が、記憶部２０へのロック作動情報の書き込み操作を兼用している。つまり、操作部５の操作スイッチを操作して、特定の初期化操作を行うことで、各構成機器の制御パラメータが初期化されるとともに、制御部１０において、記憶部２０にロック作動情報が書き込まれ、記憶される。ここで、初期化操作は、上記の検査モード移行操作とは異なる複合スイッチ操作（例えばスイッチＣとスイッチＤを同時に２秒以上押し続ける操作）よりなる。
【００３５】
初期化操作を行うと、変数管理部１４に、製品出荷時に設定された通常モードにおける制御パラメータの初期値が格納されるとともに、記憶部２０にロック作動情報が書き込まれる。これにより、初期化操作を行った直後から、便座装置１の各構成機器が初期設定に応じた状態に設定されるとともに、検査モードへの移行がロックされるようになる。ここで、制御パラメータの初期値とは、例えば、局部洗浄装置における温水温度の設定において、「低」「中」「高」「切」の４とおりの設定が可能である場合に、例えば「低」に設定する等、製造者によって規定された基本的な設定状態を指す。
【００３６】
一方、操作部５の操作スイッチを操作して、特定のロック解除操作を行うことで、制御部１０において、記憶部２０にロック解除情報が書き込まれ、記憶される。本実施形態においては、ロック解除操作は、検査モード移行操作とも、ロック作動操作を兼ねる初期化操作とも異なる複合スイッチ操作（例えばスイッチＥとスイッチＦを同時に２秒以上押す操作）よりなる。ロック解除操作を行ったうえで、便座装置１に電源が投入されていない状態から、検査モード移行操作を伴って電源投入を行えば、実際に検査モードに移行される（図３参照）。
【００３７】
以上で説明した第一の実施形態にかかる便座装置１においては、ロック手段が備えられ、記憶部２０にロック作動情報が記憶されている状態では、検査モード移行操作を行っても、検査モードに移行されることがなく、通常モードに維持される。これにより、使用者が偶発的に検査モード移行操作を行ってしまったとしても、ロック手段が作動されていれば、使用者の意図によらず、検査工程における各構成機器の検査が実行されることはない。もし、使用者の意図によらず構成機器の検査が実行されるとすれば、便座装置１が故障したのではないか、もとに戻せないのではないか、等の混乱や誤解を使用者に与える可能性がある。また、例えば検査モードで自動的に局部洗浄装置から吐出された温水が使用者の体や衣服に掛かったり、便座２の外の床に飛び散ったりという、不測の事態につながる可能性がある。本便座装置１においては、このような意図しない検査モードの実行がロック手段によって阻止されていることで、このような事態の発生が防止される。
【００３８】
ロック手段の作動、つまり記憶部２０へのロック作動情報の書き込みを行うためのトリガーとしては、上記では、操作部５における複合スイッチ操作を採用している。その代わりに、例えば検査モードにおける各機器の検査のうちの最終工程の実行をトリガーとして、ロック作動情報を記憶部２０に書き込む構成が考えられる。この場合には、製造者によって製造された便座装置１に対して、出荷前に行われる検査を完了すれば、自動的に記憶部２０にロック作動情報が記憶されることになるが、検査を行わない場合にも、ロック作動情報を記憶部２０に書き込むことを目的として、検査モードにおける検査を、少なくとも最終工程について行うことが必要となる。例えば、制御部１０と記憶部２０を備えたＥＣＵ（電子制御ユニット）基板のみを便座装置１に組み込まない状態で出荷する場合には、通常は検査工程を実施しないにもかかわらず、ロック作動情報を記憶部２０に書き込むためだけに、必要のない検査工程を実施することになる。また、特別注文に対応するための改造による一部機能の欠如等に起因して、所定の最終工程の検査が実行できない場合には、ロック作動情報の記憶部２０への書き込みが行えないことになる。これらの観点から、上記のように、ロック作動情報の書き込みを、操作部５におけるスイッチ操作をトリガーとして行うことが好ましい。この場合には、製造者がそのスイッチ操作を行うことで、ＥＣＵ基板を便座装置１に組み込んで出荷する場合にも、ＥＣＵ基板のままで出荷する場合にも、ロック作動情報を記憶させた状態で出荷することができる。また、そのスイッチ操作が行えなくなるような改造が施されていない限り、便座装置１に改造が行われていても、ロック作動情報を記憶させることができる。
【００３９】
さらに、本実施形態においては、ロック作動情報を記憶部２０に書き込むためのスイッチ操作が、各構成機器の制御パラメータの初期化を行う初期化操作に兼ねられている。通常の便座装置１においては、製造工程の最後に各制御パラメータを初期化したうえで出荷されるので、出荷前の各構成機器の検査を完了した後に、ロック作動操作を兼ねた初期化操作を行うことで、設定パラメータの初期化とロック作動情報の記憶部２０への記憶を一度の操作で行うことができる。また、便座装置１を使用する使用者が、意思的にロック手段の作動を行おうとすることは稀であると考えられるが、制御パラメータの初期化を意思的に行うことは、制御パラメータを複雑に変更しすぎたために一旦初期状態に戻したいと考えた場合等に、一般に想定される。そこで、ロック作動操作を兼ねた初期化操作に対応する複合スイッチ操作を、便座装置１の取り扱い説明書に掲載する等して、「制御パラメータの初期化のための操作」として使用者に通知しておけば、使用者がその初期化操作を行った際に、自動的にロック作動情報が記憶部２０に書き込まれる。これにより、初期化操作を行うたびに、ロック作動情報が記憶部２０に上書きされるので、仮に何らかの原因（使用者による偶発的なロック解除操作、製造者によるロック作動操作の抜け等）によってロック解除情報が記憶部２０に記憶されていたとしても、ロック手段を作動させ、以降の検査モードへの移行を防止することができる。
【００４０】
一方、ロック解除操作は、既に使用されている便座装置１のメンテナンス等のために、検査モードに移行して構成機器の検査を行う必要がある際に利用される。使用者が容易にロック解除操作を行うことは好ましくないので、ロック作動操作を兼ねた初期化操作の方法が使用者に通知されるのに対し、ロック解除操作に対応するスイッチ操作の方法は、使用者には通知されないことが好ましい。また、ロック解除操作は、比較的複雑な複合スイッチ操作よりなることが好ましい。
【００４１】
［第二の実施形態］
上記第一の実施形態においては、記憶部２０へのロック作動情報の書き込みを、ロック作動操作を兼ねた初期化操作（例えばスイッチＣとスイッチＤを２秒以上同時に押す操作）によって行う一方、ロック解除情報の書き込みは、それとは異なるロック解除操作（例えばスイッチＥとスイッチＦを２秒以上同時に押す操作）によって行うようになっている。これに対し、第二の実施形態においては、同一のスイッチ操作によって、ロック作動情報の書き込みと、ロック解除情報の書き込みの双方を行う。その他の点については、図２および図３に示した構成を含め、第一の実施形態における便座装置１と同じ構成を有する。
【００４２】
第二の実施形態においては、特定の複合スイッチ操作（例えば、スイッチＥ’とスイッチＦ’を２秒間同時に押す操作）よりなり、記憶部２０に記憶されたロック作動情報とロック解除情報を相互に書き換えるロック切替操作が規定されている。また、記憶部２０にロック解除情報が記憶されたことを示すロック解除表示手段と、記憶部２０にロック作動情報が記憶されたことを示すロック作動表示手段とが、操作部５に設けられている。
【００４３】
記憶部２０にロック解除情報が記憶されている状態で、制御部１０への電源投入を行いながらロック切替操作を行うと、記憶部２０に記憶される情報が、ロック解除情報からロック作動情報へと書き換えられる。また、操作部５において、ロック作動表示手段によって、ロック作動情報が記憶されたことが表示される。
【００４４】
一方、記憶部２０にロック作動情報が記憶されている状態で、制御部１０への電源投入を行いながらロック切替操作を行うと、記憶部２０に記憶される情報が、ロック作動情報からロック解除情報へと書き換えられる。また、操作部５において、ロック解除表示手段によって、ロック作動情報が解除されたことが表示される。
【００４５】
このように、同一のロック切替操作によって、記憶部２０に記憶されたロック作動情報とロック解除情報を双方で切り替えて、操作前と反転させるようにすることで、ロック作動情報を書き込むための操作およびロック解除情報を書き込むための操作を、簡素化することができる。なお、このロック切替操作は、制御パラメータの初期化を兼ねるものではないが、このロック切替操作と、第一の実施形態のようなロック作動操作を兼ねる初期化操作とを併存させ、ロック作動情報の書き込みはそれらいずれの操作でも行えるようにする一方、ロック解除情報の書き込みはロック切替操作のみによって行うようにしてもよい。
【００４６】
操作部５におけるロック作動表示手段およびロック解除表示手段としては、それらの表示に特化したＬＥＤ等の表示器を設けてもよいが、構成機器の他の制御パラメータを表示するための表示器を兼用してもよい。例えば、「強」「中」「弱」の３段階で設定される局部洗浄装置の洗浄強さを示す３つのＬＥＤを用いるようにし、ロック作動表示手段としては、「強」と「弱」に対応する２つのＬＥＤを交互に点滅させるようにする一方、ロック解除表示手段としては、「強」「中」「弱」に対応する３つのＬＥＤを全て同時に点滅させる方法を例示することができる。そして、ロック切替操作を受けて、しばらくこれらの表示を行った後、３つのＬＥＤを消灯し、本来の洗浄強さの表示に備えればよい。このように、他の制御パラメータを表示するための表示器をロック手段の状態を表示するのに兼用することで、従来一般の操作部５を利用しながら、ロック手段の状態の表示を行うことができる。
【００４７】
［第三の実施形態］
上記第一の実施形態および第二の実施形態においては、操作部５における操作スイッチの操作をトリガーとして、ロック作動情報が記憶部２０に書き込まれ、ロック手段の作動が行われた。これに対し、操作部５の操作を要さずにロック作動情報が記憶部２０に書き込まれる形態を、第三の実施形態として説明する。その他の点については、図２および図３に示した構成を含め、第一の実施形態における便座装置１と同じ構成を有する。
【００４８】
第三の実施形態においては、図３のステップＳ０において、制御部１０に電源が投入されると、タイマ部１２において時間の計測を開始し、電源の投入から所定時間が経過すると、記憶部２０に、ロック作動情報が書き込まれる。このようにすることで、製造者や使用者が電源投入以外に何の積極操作も行わなくても、記憶部２０にロック作動情報を記憶させ、次回の電源投入時以降に、検査モード移行操作を行っても、検査モードが実行されることがなくなる。なお、電源投入前に記憶部２０にロック解除情報が記憶されている場合に、電源投入時に検査モード移行操作を行えば、検査モードに移行され、構成機器の検査が実施されるが、この時の電源投入に伴ってロック作動情報の書き込みも行われるので、次に電源投入を行った時には、ロック作動情報が記憶部２０に記憶されており、検査モードへの移行が阻止された状態となる。
【００４９】
このように、電源投入後の所定時間の経過によって自動的に記憶部２０にロック作動情報が書き込まれるようにしておけば、製造者においては、出荷前に電源を投入し、さらに必要に応じて構成機器の検査を行っておくだけで、特段の操作を行わなくても、ロック手段が作動されることになるので、ロック手段の作動し忘れを防止することができる。また、使用者においては、仮にメンテナンス後等にロック手段が解除されたままになっていても、ひとたび制御部１０への電源投入を行えば、自動的にロック手段が作動されるので、意図しない検査モードの実行を高確度に回避することができる。
【００５０】
電源投入後にロック作動情報の書き込みが行われるまでの所定時間は、検査モードにおける全構成機器の検査に要する時間よりも長い時間として設定されることが好ましい。これにより、電源投入後に検査モードにおいて検査を行い、その後に所定時間放置することでロック作動情報の書き込みを行おうとする場合に、検査の途中にロック作動情報の書き込みを行うことによって、検査の停止等、検査工程への影響が生じるのを防止することができる。
【００５１】
上記では、制御部１０への電源投入を起点として、所定時間の計測を行ったが、代わりに、検査モードにおける検査の開始を起点として、所定時間を計測するようにしてもよい。すると、検査の開始が確認されたうえで、時間の計測を行い、所定時間が経過した後にロック作動信号の書き込みを行うことになるので、ロック作動信号の書き込みによる検査工程への影響を一層高確度に防止することができる。なお、図３にフロー図として示した場合のように、電源投入後すぐに記憶部２０のデータが読み出され（ステップＳ１）、ロック解除情報が検出されればすぐに検査モード移行操作の有無が判定され（ステップＳ５）、次いで検査モードへの移行が実行される（ステップＳ６）場合には、所定時間の計測の起点を制御部１０への電源投入時としても、検査の開始時としても、結果はほぼ変わらない。
【００５２】
［第四の実施形態］
上記各実施形態においては、操作部５の操作や、制御部１０のタイマ部１２における時間の計測をトリガーとして、記憶部２０へのロック作動情報の書き込みが行われており、ロック作動情報の書き込みを、制御部１０におけるソフトウェア的な処理によって実行している。これに対し、ロック作動情報の書き込みを、ハードウェア上の工程をトリガーとして実行することもできる。その例を、第四の実施形態として以下に説明する。その他の点については、図２および図３に示した構成を含め、第一の実施形態における便座装置１と同じ構成を有する。
【００５３】
第四の実施形態においては、マイコン等よりなる制御部１０の信号入力ポート１０ａを利用して、ロック作動情報の書き込みを行う。つまり、図４のように、信号入力ポートにロック基準電圧Ｖｌ（ＨＩＧＨ；例えば５Ｖ）を入力できるようにしておく。そして、グラウンド電位とロック基準電圧Ｖｌに対応する電位の間に、プルダウン抵抗として固定抵抗器Ｒを配置しておく。そして、制御部１０への電源投入時に信号入力ポート１０ａにロック基準電圧Ｖｌが入力されていれば、記憶部２０に記憶されている情報に対して何の操作もしない一方、制御部１０への電源投入時に信号入力ポート１０ａに０Ｖ（ＬＯＷ）が入力されていれば、記憶部２０にロック解除情報を書き込むように、制御部１０のプログラムを構築しておく。
【００５４】
便座装置１の製造時、図４のように、信号入力ポート１０ａにロック基準電圧Ｖｌが入力されるように、回路を形成しておく。また、記憶部２０にロック解除情報を書き込んでおく。そして、出荷前に検査モードにおいて構成機器の検査を済ませた後、図４中に矢印で示した固定抵抗Ｒとロック基準電圧Ｖｌに対応する電位の間の配線を物理的に切断する。すると、信号入力ポート１０ａに、０Ｖの電圧が入力されることになる。この０Ｖの入力を制御部１０が検知すると、記憶部２０にロック作動情報が書き込まれる。すると、その後はロック手段が作動された状態が維持され、出荷後に使用者が検査モード移行操作を伴って電源投入を行ったとしても、検査モードへの移行は阻止される。
【００５５】
このように、配線の切断というハードウェア上の操作、しかも容易には復元できない不可逆的な操作によって記憶部２０にロック作動情報を記憶させておくことで、使用者がスイッチ操作等、ソフトウェア的に処理されるどのような操作を行っても、ロック作動情報が解除されない。これにより、ロック手段の解除、さらには検査モードへの移行を、強固に阻止することができる。
【００５６】
本実施形態の変形例として、ロック作動情報／ロック解除情報を記憶部２０に記憶させることを行わず、制御部１０への電源投入が行われるたびに、制御部１０において信号入力ポート１０ａへの入力電圧を参照する形態を示すことができる。例えば、電源投入時に入力ポート１０ａにおける入力電圧を参照し、ロック基準電圧Ｖｌが入力されていれば、変数管理部１４に通常モードに対応する制御パラメータを格納して通常モードに移行する一方、０Ｖが入力されており、かつ検査モード移行操作がなれれていれば、変数管理部１４に検査モードに対応する制御パラメータを格納して検査モードに移行するようにすればよい。
【００５７】
別の変形例として、図４で用いている固定抵抗Ｒの代わりに、可変抵抗を用いる構成を示すことができる。そして、信号入力ポート１０ａに入力されたアナログ電圧値をデジタル変換して、閾値より高ければ、記憶部２０にロック作動情報を書き込むようにすればよい。このような構成によれば、上記実施形態のように配線を切断する代わりに、可変抵抗によって抵抗値を下げることによって、記憶部２０にロック作動情報を記憶させることができる。この場合には、出荷後に既に使用されている便座装置１において、メンテナンス等のために検査モードへの移行が必要となった際に、制御部１０の構成について知識を有する者ならば、比較的簡便にロック手段を解除することができる。
【００５８】
以上、本発明の実施形態について詳細に説明したが、本発明は上記実施例に何ら限定されるものではなく、本発明の要旨を逸脱しない範囲で種々の改変が可能である。例えば、上記では、４つの実施形態において、それぞれ異なるトリガーによって、記憶部２０へのロック作動情報の書き込みを行う形態を示したが、それらのトリガーは、複数が併存されてもよい。つまり、単一の便座装置において、複数の異なる方法で、記憶部２０へのロック作動情報の書き込みを行えるようにしてもよい。
【符号の説明】
【００５９】
１      便座装置
２      便座
４      本体部
５      操作部
１０    制御部
【図１】
2015221977.tif 000003
【図２】
2015221977.tif 000004
【図３】
2015221977.tif 000005
【図４】
2015221977.tif 000006